(57)【要約】【課題】着座させた状態のままで、施術者が障害なく患者を指圧・マッサージするための椅子を提供することを課題とする。【解決手段】本考案の椅子用クッションは、施術者が患者を指圧・マッサージ・整体治療する際に、患者を着座させたままでも、必要とされる身体部位へ正しく施術ができる様に、障害となる背面クッション部上部の両側部に切り欠きを加え、凸形状に形成する。【選択図】  図２
0003109409.tif 000002
【実用新案登録請求の範囲】
【請求項１】
少なくとも座面クッション、背面クッションより構成される椅子の背面クッションにおいて、背面クッション上部の両端部に於いて、高さが背面クッション高の略１／３から略３／５となる寸法で、幅が背面クッション幅の略１／５から略３／５となる寸法の切り欠き部分を設け、凸状にクッションを形成してなる背面クッション。
【請求項２】
少なくとも座面クッション、背面クッション、頭部クッションより構成される椅子の背面クッションにおいて、凸状背面クッションに、嵌合する逆凹状の頭部クッションを設け、連結具を介し、背面クッションおよび頭部クッションを連結した請求項１に示す背面クッション。
【考案の詳細な説明】
【技術分野】
【０００１】本考案は、主としてマッサージ、指圧の施術、整体療法などの際に使用される椅子、および休息姿勢または仮眠に利用される椅子、クッションに関する。
【背景技術】
【０００２】従来、施術師などによる人的なマッサージや指圧では、患者を簡易ベッドなど平面状の寝台にうつ伏せ、または仰向け、横向きに寝かして施術することが多く一般的であるが、一方、マッサージ装置を用いた非人的、機械装置によるマッサージでは、椅子への着座姿勢のまま行われる事が多く一般的である。
【考案の開示】
【考案が解決しようとする課題】
【０００３】施術師などによる人的なマッサージや指圧において、簡易ベッドなどを用いた身体姿勢にして行う背景には、施術する身体部位へ施術師が自由に腕・手・指を運び正しく施術する為には、最も施術に障害のない姿勢を患者にとってもらう事が必要とされるからである。【０００４】すなわち、例えば、肩部や脊椎部分などを施術する際は、うつ伏せに寝てもらい、脚部や大腿部を施術する際は、仰向けに寝てもらうなど、施術する部位に適した姿勢をとることを患者に求めてきた。【０００５】また、患者側から見ても、身体疲労の軽減等を計る等の目的の達成の為には、最適な施術を受けるための当然の行為と考え、施術師の指示に従った姿勢をとって来たと言えよう。【０００６】一方、近年のマッサージ用の機械装置を取り付けた、いわゆるマッサージ椅子の性能向上は著しく、人的な施術には劣るとはいえ、高度なマッサージが安楽椅子に座りながらにして、リラックスした姿勢で受けられる状況になってきている。【０００７】上述の通りの状況の元、質の高い人的な施術を患者に更に快適に受けてもらう為には、患者の身体支持用の機具として、施術が確実に行える様に障害を排除し、かつ患者がリラックスした姿勢で着座あるいは寝ることができる改良型の椅子、ベッドが望まれている。【０００８】本考案は、上述の様な課題を解消する為に、クッション体の形状、構成の改良を行なった指圧・マッサージ・整体用椅子のクッション体の構造を示すものである。
【課題を解決するための手段】
【０００９】本考案の椅子では、背部クッションに於いて、左右中央部付近のクッション部分は保持し、背部クッション上部の左右部分を切り欠き、クッションを凸状に加工するものである。【００１０】凸状に加工する際の切り欠き幅は、肩の付け根の位置などの人体の寸法体系に応じて必然的に決まるが、椅子の寸法体系に応じてある程度は調整しても良く、概ね、背部クッションの幅の両側部１／４程度、すなわち全幅の１／２程度とする。【００１１】一方、凸状に加工する際の切り欠き高さも、胸椎の下端部の位置などに合わせるなど、人体の寸法体系に応じて必然的に決まるが、椅子の寸法体系に応じてある程度は調整して良く、概ね、背部クッションの高さの１／２程度を上端部より行う。【００１２】かかる構成によれば、着座の際に脊椎部分の支持の役割をになう左右中央部付近は、座部クッションの後端部から頭部クッションの下端部までの全長に亘り、支持される。【００１３】一方、着座の際に肩部分の支持の役割をになう、背部クッション上部の左右端部付近は、切り欠かれ、腰椎上部より上部は、支持されない。【００１４】上述の通りの加工を行い形成された椅子であるから、着座者の菱形筋、起立筋、像帽筋、広背筋部分等、肩部より胸部にかけての身体後方の背もたれによる障害は排除される。
【考案の効果】
【００１５】本考案に係る椅子は、上述の様な構成であるため、下記の通りの効果を奏し得る。
○マッサージ、指圧、整体などの施術に施術の為の障害部分がなくなり、施術し易い。
○マッサージ、指圧、整体などの施術に最適な患者の姿勢が得られる。
○患者がリラックスして座れる。
○脊椎部の保持が完全であり、患者の着座姿勢が整う。
○切り欠き部上部に施術者が手、腕を固定して施術できる為、施術効果が高い。
○切り欠き部上部に施術者が手、腕を固定して施術できる為、施術者の疲れを軽減する。
【考案を実施するための最良の形態】
【００１６】考案を実施するための最良の形態を以下の実施例を元に詳細に説明する。
【実施例】
【００１７】図１は、本考案に係る椅子の斜視図を示し、図２はその背部の構成を、また図３は、図２に於けるＡ１−Ａ２断面より中央方向の矢視図を示し、図４には、構成の応用例を示し、更に図５には、背部の寸法体系・構造を示す。【００１８】図１に示す様に、本実施例の椅子は、脚部５をベースに、座面クッション１とリクライニング装置２４を介し背面クッション２を止着し、背面クッション２には、脱着可能な頭部クッション３を連結し、さらに座面クッション１は、アームレストクッション４を左右に止着している。【００１９】本考案のクッションは、図２に示す様に、頭部クッション３に止着したステー６を介して、背面クッション２に設けた支持具７に、挿入・連結されているが、支持具７にはストッパ８が取り付けてあり、一時固定および、脱着可能としてあり、さらに、背面クッション２の上部の両側部に、切り欠き部９を設けてある。【００２０】このため、背面クッション２は、見かけ上、凸型形状をしており、下半分の背面全幅部分の上に、幅の狭い支持部１０が載置された形状となる。【００２１】図２、図３に示す通り、背面全幅部分は、表皮１１、クッション体１２、フレーム２５よりなるが、支持部１０も同一構造であり、すなわち、切り欠き部９による切り欠きが追加されているが、背面クッション２として一体構造である。【００２２】尚、切り欠き部９の端面には、切り欠き部上部マチ１４および、切り欠き部側面マチ１５が追加されている。【００２３】本考案のクッション構造は、着座した患者の背面を施術する際の障害をなくすことが、主たる目的であるから、頭部クッション３は、必ずしも具備することは要しない。【００２４】しかしリクライニング装置２４を倒して、上体を寝かして施術する場合には、頭部クッション３による姿勢保持を要する場合がある為、実施例では頭部クッション３を加えている。【００２５】また、図４に示す通り、頭部クッション３の連結は、切り欠き部上部マチ１４で行っても良く、支持具７、ストッパ８の位置は、この応用例の通り複数設けても良い。【００２６】また、図４で示す構造は、頭部クッション３の形状を、連結した際に、切り欠き部９を埋めることができる嵌合構造、すなわち、背面クッション２の凸形に対して、頭部クッション３を逆凹形にして隙間を埋める応用例である。【００２７】図５に示す通り、切り欠き部９の寸法は、本考案のクッション構造に於いて極めて重要な要素を持っている。【００２８】人体１７の保持は骨格である７個の頚椎２１、１２個の胸椎２２、５個の腰椎２３からなる脊椎２０で行われ、起立筋が支え、菱形・僧帽・広背筋などの筋肉が取り巻いている。【００２９】すなわち、本考案のクッションの実施例では、患者への施術を容易に確実に行うため、切り欠き部９は、天地方向が、背クッション２の上端部より、胸椎２２の下端部位置まで切り欠かれていること、および、幅方向は、背クッション２の全幅から腕の付け根位置まで切り欠かれている寸法としてある。【００３０】椅子の寸法として表現すれば、切り欠き部９の幅は、背クッションの全幅の略１／４（左右切り欠き合計で全幅の１／２）、高さは、背部高さの略１／２が標準的な寸法である。【００３１】次に、本考案のクッションの利用による効果を具体的に説明する。【００３２】図６に示す通り、本考案のクッションの利用により、施術者は、手および指１８を切り欠き部９の上より容易に患者身体側にあてることができ、指どうし合わせることもでき、すなわち脊椎２０まで円滑に施術することを可能とせしめる。【００３３】図７に示す様に、施術者は、切り欠き部９の切り欠き部上部マチ１４に、腕部１９や、肘部を載せて施術することができる為、腕をいわゆる『テコ』にして、力の入った施術が可能であり、一方施術者自身の疲労の低減を図れる。【００３４】また一方、図８に示す様に、施術者は、切り欠き部９の切り欠き部上部マチ１４に、手および指１８を載せて施術することができる為、切り欠き部上部マチ１４、あるいは切り欠き部側面マチ１５に手首をつけて繰り返し練り揉みする様な、いわゆる『練り』のある施術が可能であり、施術に一段の工夫を加えることができる。【００３５】図１０には、多く市販されているマーサージ装置を装着した椅子の例を示すが、この椅子は、安楽椅子をベースに機械によるマッサージの効果の付加により、身体疲労の軽減を計るもので、施術者による人的な身体への施術を目的に利用するものではない。【００３６】図９に示す様に、本考案による椅子では、患者の人体１７の脊椎２０は、歪むことなく納まり、正しい身体姿勢が得られ、また何にも替え難い効用として、施術者による正しい施術が可能であることを生み出しており、在来のマーサージ椅子との比較に及ばない。
【産業上の利用可能性】
【００３７】理容院、美容院等でも指圧・マッサージ等の施術を同時に行う事例もあり、それら理容・美容用途のリクライニングチェアまたは椅子の分野に、本考案の背部クッションの構造を利用することができる。
【図面の簡単な説明】
【００３８】
【図１】本考案に係る椅子の斜視図である。
【図２】同上の背部の構成を示す斜視図である。
【図３】同上の背部の構造を示す矢視図である。
【図４】同上の背部の構成の応用例を示す斜視図である。
【図５】同上の背部の寸法体系・構造を示す正面図である。
【図６】本考案に係る椅子の施術時利用方法の上面図である。
【図７】同上の利用例の斜視図である。
【図８】同上の利用例の斜視図である。
【図９】同上の利用例の上面図である。
【図１０】従来のマッサージ椅子の例の斜視図である。
【符号の説明】
【００３９】  １    座面クッション
２    背面クッション
３    頭部クッション
４    アームレストクッション
５    脚部
６    ステー
７    支持具
８    ストッパ
９    切り欠き部
１０    支持部
１１    表皮
１２    クッション体
１３    側面マチ
１４    切り欠き部上部マチ
１５    切り欠き部側面マチ
１６    背支持部上部マチ
１７    人体（患者の身体）
１８    手および指（施術者の手および指）
１９    腕部（施術者の腕部）
２０    脊椎（頚椎、胸椎、腰椎の集合体）
２１    頚椎
２２    胸椎
２３    腰椎
２４    リクライニング装置
２５    フレーム
【図１】
0003109409.tif 000003
【図２】
0003109409.tif 000004
【図３】
0003109409.tif 000005
【図４】
0003109409.tif 000006
【図５】
0003109409.tif 000007
【図６】
0003109409.tif 000008
【図７】
0003109409.tif 000009
【図８】
0003109409.tif 000010
【図９】
0003109409.tif 000011
【図１０】
0003109409.tif 000012